(57)【要約】      （修正有）【課題】手動でありながら、打撃対象の溶接部近傍に対してより大きな打撃力を与えることができる手動打撃工具を提供する。【解決手段】手動打撃工具は、本体１１と、本体１１の一端部に対して軸方向ＣＬに沿って移動可能な打撃部材１７と、本体内に配置され圧縮されることにより打撃用のバネ力を蓄えるための打撃バネ１５と、本体内に配置され打撃バネの一端部を保持しているスライドハンマー１６と、スライドハンマーが本体内で打撃部材側に移動するのを阻止する阻止手段６と、本体に対してヒンジ部を用いて回転可能に保持され、手動で回転することで打撃バネ１５の他端部を押して圧縮してスライドハンマー１６との間で打撃バネ１５に打撃用のバネ力を蓄える手動回転操作部３０と、打撃部材とスライドハンマーの間に配置される戻しバネ２１とを備える。【選択図】図２
2010142907.tif 000002
【特許請求の範囲】
【請求項１】
打撃対象に対して打撃力を与える手動打撃工具であって、
筒状の本体と、
前記本体の一端部から一部が突出しており、前記本体の一端部に対して軸方向に沿って移動可能な打撃部材と、
前記本体内に配置され圧縮されることにより打撃用のバネ力を蓄える打撃バネと、
前記本体内の前記打撃バネより一端側寄りに配置されているスライドハンマーと、
前記スライドハンマーが前記本体内で前記打撃部材側に移動するのを阻止する阻止手段と、
前記本体に対してヒンジ部を用いて回転可能に保持され、手動で回転することで、前記打撃バネの他端部を押して圧縮して前記スライドハンマーとの間で、前記打撃バネに前記打撃用のバネ力を蓄える手動回転操作部とを備え、
前記打撃部材の先端部を前記打撃対象に押し当てて本体内に押し込むことで前記阻止手段による前記スライドハンマーの前記打撃部材側へ移動を解除して、前記打撃バネのバネ力を前記打撃部材に与えて前記打撃対象を打撃することを特徴とする手動打撃工具。
【請求項２】
前記本体は、本体カバーと、前記本体カバーの第１端部に固定される先端カバーと、前記本体カバーの第２端部に固定される後端カバーとを有し、
前記後端カバーには、前記手動回転操作部が設けられ、
前記手動回転操作部は、
前記本体カバー内を前記軸方向に移動可能で前記打撃バネの他端部を押して圧縮するための押しピンと、
前記後端カバーに対してヒンジピンを用いて回転可能に取り付けられているレバーと、
前記レバーの端部と前記押しピンを連結して、前記レバーの回転動作を、前記軸方向に沿って前記押しピンを押して前記打撃バネの他端部を圧縮する動作に変えるリンクバーと、
を有することを特徴とする請求項１に記載の手動打撃工具。
【請求項３】
前記阻止手段は、
前記本体カバー内に突出する段部と、
前記スライドハンマーに対して前記軸方向とは直交する方向に移動可能に設けられ、前記段部に当てることで前記スライドハンマーが前記打撃部材側に移動するのを阻止する止めピンと、
前記止めピンを、スライドハンマーから突出して前記段部に当たる位置とスライドハンマー内に収まる位置とに切り替える切替え棒と、
前記スライドハンマー内に配置されて前記切替え棒と前記スライドハンマーの間に配置される別の戻しバネと、を有することを特徴とする請求項１または請求項２に記載の手動打撃工具
【発明の詳細な説明】
【技術分野】
【０００１】
本発明は、手動打撃工具に関し、特に手動回転操作で打撃用のバネ力を蓄えて、ロッドのような打撃部材の先端部を用いて打撃対象に打撃力を与える手動打撃工具に関する。
【背景技術】
【０００２】
手動打撃具として、特許文献1に開示されているものがある。この手動打撃工具は、ドリル作業の前にドリルの先が踊らないようにするポンチング処理に使用するもので、作業者がケースを保持して、作業者の力でポンチの頭部を打撃対象に押し付けることで、ケース内の打撃バネに打撃力を蓄えてトリガ手段の係止めで保持し、トリガ手段の係止めを解除して打撃バネの打撃力により打撃対象を塑性変形させる。
【特許文献１】特開２００４−１８８５４０号公報
【発明の開示】
【発明が解決しようとする課題】
【０００３】
ところで、厚肉の金属部品に溶接を行なった場合、加わる熱により溶接部近傍の金属組織が影響を受けて残留応力が残り、金属部品の疲労強度が低下することがある。この問題を解消するために、溶接部の外縁部を打撃して塑性変形させ、その変形により生じる押圧側の残留応力により溶接時の引張残留応力を緩和して、溶接による金属部品の疲労強度の低下を小さくする方法がある。
【０００４】
このような溶接部の応力緩和処理では、強い打撃を繰返し加える必要があるので、特許文献１に記載の手動打撃具では、打撃力が不足するという問題がある。
そこで、本発明は上記課題を解消するために、手動でありながら、大きな打撃力を与えることができる手動打撃工具を提供することを目的とする。
【課題を解決するための手段】
【０００５】
上記課題を解消するために、本発明の手動打撃工具は、打撃対象に対して打撃力を与える手動打撃工具であって、筒状の本体と、前記本体の一端部から一部が突出しており、前記本体の一端部に対して軸方向に沿って移動可能な打撃部材と、前記本体内に配置され圧縮されることにより打撃用のバネ力を蓄える打撃バネと、前記本体内の前記打撃バネより一端側寄りに配置されているスライドハンマーと、前記スライドハンマーが前記本体内で前記打撃部材側に移動するのを阻止する阻止手段と、前記本体に対してヒンジ部を用いて回転可能に保持され、手動で回転することで、前記打撃バネの他端部を押して圧縮して前記スライドハンマーとの間で、前記打撃バネに前記打撃用のバネ力を蓄える手動回転操作部とを備え、前記打撃部材の先端部を前記打撃対象に押し当てて本体内に押し込むことで前記阻止手段による前記スライドハンマーの前記打撃部材側へ移動を解除して、前記打撃バネのバネ力を前記打撃部材に与えて前記打撃対象を打撃することを特徴とする。
【０００６】
本発明の手動打撃工具では、前記本体は、本体カバーと、前記本体カバーの第１端部に固定される先端カバーと、前記本体カバーの第２端部に固定される後端カバーとを有し、
前記後端カバーには、前記手動回転操作部が設けられ、前記手動回転操作部は、前記本体カバー内を前記軸方向に移動可能で前記打撃バネの他端部を押して圧縮するための押しピンと、前記後端カバーに対してヒンジピンを用いて回転可能に取り付けられているレバーと、前記レバーの端部と前記押しピンを連結して、前記レバーの回転動作を、前記軸方向に沿って前記押しピンを押して前記打撃バネの他端部を圧縮する動作に変えるリンクバーと、を有することを特徴とする。
【０００７】
本発明の手動打撃工具では、前記阻止手段は、前記本体カバー内に突出する段部と、前記スライドハンマーに対して前記軸方向とは直交する方向に移動可能に設けられ、前記段部に当てることで前記スライドハンマーが前記打撃部材側に移動するのを阻止する止めピンと、前記止めピンを、スライドハンマーから突出して前記段部に当たる位置とスライドハンマー内に収まる位置とに切り替える切替え棒と、前記スライドハンマー内に配置されて前記切替え棒と前記スライドハンマーの間に配置される別の戻しバネと、を有することを特徴とする。
【発明の効果】
【０００８】
本発明によれば、手動でありながら、大きな打撃力を与えることができる手動打撃工具を提供することができる。
【発明を実施するための最良の形態】
【０００９】
以下、図面を参照して、本発明の好ましい実施形態を詳細に説明する。  
図１は、本発明の手動打撃工具の好ましい実施の形態を示している側面図であり、図２は、図１に示す手動打撃工具の内部構造例を示す軸方向の断面図である。
図１と図２に示すように、手動打撃工具１０は、筒状の本体部５と、打撃バネ１５と、スライドハンマー１６と、阻止手段６と、打撃部材としてのポンチ１７と、第１戻しバネ２１と、手動回転操作部３０を有している。
【００１０】
図２に示すように、本体部５は、円筒状の本体カバー１１と、先端カバー１２と、後端カバー１３を有している。本体カバー１１と先端カバー１２と後端カバー１３は、金属製の部材であり、本体カバー１１の第１端部１１Ｂには、先端カバー１２がはめ込んで固定されている。本体カバー１１の第２端部１１Ｃには、後端カバー１３がはめ込んで固定されている。
【００１１】
本体カバー１１と先端カバー１２と後端カバー１３で囲まれている空間内には、押しピン１４と、打撃バネ１５と、スライドハンマー１６と、ポンチ１７の一部分と、２つの止めピン１８と、止めカラー１９と、切替え棒２０と、第１戻しバネ２１と、第２戻しバネ２２が収容されている。
【００１２】
図２に示すように、手動回転操作部３０は、押しピン１４と、レバー３０Ｌと、プレート３３と、リンクバー３４を有する。押しピン１４は、本体カバー１１内を軸方向ＣＬに移動可能で打撃バネ１５の他端部を押して圧縮するための部材である。レバー３０Ｌの端部にはプレート３３が一体に固定されており、このプレート３３の部分で後端カバー１３に対してヒンジピン３５を用いて回転可能に取り付けられている。
【００１３】
図２に示すように、レバー３０Ｌはにぎり玉３１とロッド３２を有する。にぎり玉３１はロッド３２の一端部に固定されている。ロッド３２の他端部はプレート３３に対してネジ３３Ｎより固定されている。リンクバー３４は略Ｌ字状で、その一端部は、プレート３３に対してヒンジピン３６により回転可能に連結されている。リンクバー３４の他端部は、押しピン１４の端部に対してヒンジピン３７により回転可能に連結されている。このリンク部材３４により、レバー３０Ｌの回転動作が押しピン１４を軸方向ＣＬに沿って押す動作に変わり、これにより押しピン１４が打撃バネ１５を圧縮する。
【００１４】
図２に示す阻止手段６は、段部１９Aを形成する止めカラー１９と、２つの止めピン１８と、切替え棒２０と、第２戻しバネ２２とで構成されている。止めカラー１９は、本体カバー１１内に内接して固定された円筒状の部材である。この止めカラー１９の端部によって本体カバー１１の中に段部１９Aが形成されている。
【００１５】
止めピン１８は両端が丸まった俵状のもので、スライドハンマー１６の周壁に開けられた２つの貫通した穴部16Ｃに１個づつ収められている。これらの止めピン１８は、スライドハンマー１６に対して軸方向ＣＬとは直交する方向（本体カバー１１の直径方向）に移動可能である。これら２つの止めピン１８は、止めカラー１８の端部により形成される段部１９Aに当たることで、スライドハンマー１６がポンチ１７側（Ｘ１方向）に移動するのを阻止する。
【００１６】
切替え棒２０は、止めピン１８をスライドハンマー１５から突出させて段部１９Aに当てる第１位置と、スライドハンマー１５内に止めピン１８を収容して段部１９Aに当てないようにしてスライドハンマー１６をポンチ１７側（Ｘ１方向）へ移動可能にする第２位置と、を切り替えるための棒状の部材である。第２戻しバネ２２は、スライドハンマー１６の底付き穴内に配置されており、切替え棒２０の端部とスライドハンマー１６の内底部の間に配置されている。
【００１７】
ここで、手動打撃工具１０の各構成部材の形状例を、図３〜図６を参照して説明する。
図３は、本体カバー１１と先端カバー１２の形状を示している。本体カバー１１は、円筒状の部材であり、第１端部１１Ｂと第２端部１１Ｃは開放端部である。先端カバー１２は、先細り部分１２Ｂと嵌め込み部分１２Ｃを有しており、図２に示すように、先端カバー１２の内部には、通し穴１２Ｄを有している。この通し穴１２Ｄには、ポンチ１７の太径部１７Ｂが軸方向ＣＬに沿って移動できる。
【００１８】
図３に示すように、本体カバー１１の第１端部１１Ｂには、先端カバー１２の嵌め込み部分１２Ｃを嵌め込んで固定するための凹部１１Ｄが形成されている。図３に示す本体カバー１１の第２端部１１Ｃには、図２に示す後端カバー１３の嵌め込み部分１３Ｂを嵌め込んで固定するための凹部１１Ｆが形成されている。本体カバー１１の第１端部１１Ｂには、穴部１１Ｈが形成され、この穴部１１Ｈには六角穴付きネジ１１Ｐがねじ込まれている。このネジ１１Ｐが止めカラー１９を本体カバー１１内に固定している。
【００１９】
図４は、図２に示すポンチ１７と切替え棒２０の形状を示している斜視図である。金属製のポンチ１７は、太径部１７Ｂと、先端部１７Ｃと、細径部１７Ｄと、ストッパ部１７Ｆと、当接部１７Ｇを有する。先端部１７Ｃは半球状であり、円盤状のストッパ部１７Ｆは、図２に示す先端カバー１２の内端部１２Ｋに突き当ることで、ポンチ１７がＸ１方向へ移動するのを阻止する。
【００２０】
図４に示す切替え棒２０は鼓状のもので、太径の当接部２０Ｂ、２０Ｃと細径の中間部２０Ｄとを有している。切替え棒２０の当接部２０Ｂは、ポンチ１７の当接部１７Ｇに対して突き当てられている。当接部２０Ｃは、図２に示すように第２戻しバネ２２の一端部２２Ｂに突き当てられている。
【００２１】
図５（Ａ）は、図２に示すスライドハンマー１６の形状を示す断面図である。スライドハンマー１６は、金属製の底付き筒状の部材であり、第２戻しバネ２２を収容する空間部１６Ｂと、止めピン１８を１個づつ収容する２つの穴部１６Ｃを有している。穴部１６Ｃは、スライドハンマー１６の中央部の周壁に軸方向ＣＬと直行する向きに開けられている。第２戻しバネ２２の他端部２２Ｃは、空間部１６Ｂの内底部１６Ｄに固定されている。スライドハンマー１６の底側の端部には突起１６Ｔが設けられている。
【００２２】
図５（Ｂ）は、図２に示す止めカラー１９の形状例を示している。止めカラー１９は、金属製の円筒部材であり、図２に示すように本体カバー１１の第１端部１１Ｂの内周部に対して密接するようにして固定されている。止めカラー１９の他端は段部１９Ａを形成する部分で、内周側が面取りされ斜面になっている。図５（Ｃ）は、図２に示す止めピン１８の形状を示している。
【００２３】
図６（Ａ）は、図２に示す押しピン１４の形状を示す斜視図である。押しピン１４の一端部には突起１４Ｂが設けられ、他端部にはヒンジピン３７を通すための穴部１４Ｃが形成されている。
図６（Ｂ）は、図２に示すリンクバー３４の形状を示しており、リンクバー３４はほぼＬ字型を有しており、リンクバー３４の一端部と他端部にはそれぞれヒンジピン３６，３７を通すための穴部３４Ｂ、３４Ｃが形成されている。
図６（Ｃ）は、図２に示すレバー３０Ｌのにぎり玉３１と、ロッド３２と、プレート３３を示す斜視図である。プレート３３には、ヒンジピン３５，３６をそれぞれ通すための穴部３３Ｂ、３３Ｃが形成されている。
【００２４】
図２に示す打撃バネ１５は、ポンチ１７を打撃対象に対して打撃するための打撃力を蓄えるためコイルスプリングである。
図２に示すポンチ１７の太径部１７Ｂは、先端カバー１２の通し穴１２Ｄに通っており、切替え棒２０の当接部２０Ｂは、ポンチ１７の当接部１７Ｇに対して突き当てられている。第１戻しバネ２１は、ポンチ１７に対して軸方向ＣＬに沿って同軸状に配置されており、第１戻しバネ２１は、ポンチ１７のストッパ部１７Ｆとスライドハンマー１６のストッパ部１６Ｋの間に配置されている。
図２に示す止めカラー１９は、本体カバー１１の第１端部１１Ｂの内周面に密着して六角穴付きネジ１１Ｐを用いて固定されている。スライドハンマー１６の外径は止めカラー１９の内径よりもやや小さいく、スライドハンマー１６は止めカラー１９の内周面において軸方向ＣＬに沿って移動可能である。
【００２５】
図２に示す第２戻しバネ２２はスライドハンマー１６内に収容されており、第２戻しバネ２２の一端部は切替え棒２０の当接部２０Ｃに突き当てられ、第２戻しバネ２２の他端部はスライドハンマー１６内に固定されている。２つの止めピン１８は図５に示すスライドハンマー１６の穴部１６Ｃに、軸方向ＣＬと直行する方向に摺動自在にはめ込まれている。図２に示すように、２つの止めピン１８は止めカラー１９の端部が形成する段部１９Ａに突き当たり、本体カバー１１の内周面に当たっている。
図２に示すように、スライドハンマー１６の突起１６Ｔと押しピン１４の突起１４Ｂの間には、打撃バネ１５が保持されている。第１戻しバネ２１、第２戻しバネ２２、打撃バネ１５は、軸方向ＣＬに沿って配列されている。
【００２６】
次に、図７〜図１０を参照して、手動打撃工具１０の使用例を説明する。
この手動打撃工具１０は、概略、手動によりレバー３０Ｌをヒンジピン３５を中心としてＲ方向に回すことにより、打撃バネ１５を圧縮して打撃用のバネ蓄力を蓄え、ポンチ１７を打撃対象に押しつけると、この打撃バネ１５のバネ蓄力が開放され、ポンチ１７の先端部１７が打撃対象を打撃力するものである。
【００２７】
図７では、打撃バネ１５には打撃用のバネ蓄力が蓄えられておらず、初期の開放状態であり、無負荷時の状態を示している。
図７に示す無負荷時の状態では、レバー３０Ｌのロッド３２は、本体カバー１１の軸方向ＣＬに対して角度θで保持されている。
【００２８】
使用者が一方の手で本体カバー１１を保持し、他方の手でにぎり玉３１を持って、図７に示すロッド３２を図７に示すヒンジピン３５を中心としてＲ方向に回して、図８に示すようにほぼ軸方向ＣＬに平行になるようにすると、打撃バネ１５に打撃用のバネ蓄力が蓄えられる。
【００２９】
すなわち、図７と図８により比較して明らかなように、レバー３０Ｌの端部と押しピン１４を連結するリンクバー３４は、レバー３０Ｌの回転動作を、押しピン１４をＸ１方向に直線移動させる動作に変える。これにより、軸方向ＣＬに沿って押しピン１４を押して打撃バネ１５の他端部を圧縮する。
【００３０】
他方、止めカラー１９の端部に形成された段部１９Ａにより止めピン１８が押さえられていることで、スライドハンマー１６は、Ｘ１方向には移動できずに位置が固定されたままであり、スライドハンマー１６と本体カバー１１とは軸方向ＣＬについての相対的な位置の移動がなく、スライドハンマー１６は固定されている。この結果、打撃バネ１５は、押しピン１４とスライドハンマー１６との間で圧縮され、打撃バネ１５に打撃用のバネ蓄力を簡単に確実に蓄えることができる。
【００３１】
次の図９はスライドハンマー１６のＸ１方向への移動が許容された状態、図１０はポンチ１７により打撃対象を打撃している状態を示す図である。
【００３２】
図９に示すように、使用者がポンチ１７の先端部１７Ｃを打撃対象１００に対して当てて接触させた状態で、使用者がこの打撃工具１０をＸ１方向に押すと、ポンチ１７が先端カバー１２の内側からＸ２方向に入り込み、切替え棒２０がＸ２方向に押される。このため、図８の状態から図９の状態を比較して分かるように、第１戻しバネ２１と第２戻しバネ２２が圧縮される。
【００３３】
また、切替え棒２０がスライドハンマー１６内に押し込まれる。この結果、２つの止めピン１８が当接する位置が、切替え棒２０の太径の当接部２０Ｃの外周面から細径の中間部２０Ｄの外周面に移り、２つの止めピン１８は、半径方向内側に移動することが可能になる。
【００３４】
すると、止めカラー１９の端部内側を面取りすることで形成した斜面と前述の圧縮されている打撃バネ１５の初期の伸長との協同作用により、止めピン１８がスライドハンマー１６内に入り、段部１９Ａと止めピン１８の係止が解除される。その結果、スライドハンマー１６は、止めカラー１９内に入る込むことができるようになる。つまり、すなわち、２つの止めピン１８は、スライドハンマー１６の中に互いに近づくように入り込み、スライドハンマー１６がＸ１方向に沿って（ポンチ１７の先端部１７Ｃ側に向かって）止めカラー１９の内側に入り込むことができる状態となる。
【００３５】
このため、図１０に示すように、打撃バネ１５の打撃用のバネ蓄力は、スライドハンマー１６のＸ１方向への移動によりポンチ１７に直接的に伝わり、ポンチ１７の先端部１７Ｃは打撃対象１００を打撃する。
なお、図９から図１０に示す状態では、第１戻しバネ２１と第２戻しバネ２２はそれぞれ圧縮された状態になっている。
【００３６】
この打撃工具１０では、使用者は一方の手で本体カバー１１を保持し、他方の手でにぎり玉３１を押さえ付けたままにする。使用者はにぎり玉３１を手で持ってレバー３０Ｌを支えることができるので、ポンチ１７を打撃対象１００に対して安定して容易に支えながら押し付けることができる。これにより、手動打撃工具１０は、打撃対象１００に対して確実に安定して打撃を与えることができる。
【００３７】
１回の打撃作業が終わり、使用者がレバー３０Ｌを図１０の状態から図７に示す状態にＲ１方向に回転して戻すと、図７に示す初期の状態に戻る。すなわち、第１戻しバネ２１と第２戻しバネ２２の圧縮戻し力は、スライドハンマー１６をＸ２方向に沿って元の位置に戻す。また、第２戻しバネ２２の圧縮戻し力は、切替え棒２０をスライドハンマー１６から押し出す。すると、２つの止めピン１８と接する位置が、切替え棒２０の細径の中間部２０Ｄの外周面から太径の当接部２０Ｃの外周面に移るので、止めピン１８がスライドハンマー１６の周壁から押出される。これらの結果、２つの止めピン１８はＸ２方向に移動すると共に、止めカラー１９の端部で形成された段部１９Ａに係止する
以上説明した手動打撃工具１０は、レバー３０Ｌを図１０の状態から図７に示す状態に戻して、図８〜図１０の動作を繰り返すことにより、使用者は打撃対象１００に対して複数回の打撃を与えることができる。
【００３８】
従来の手動打撃具では単に使用者が軸方向に押してバネに打撃力を蓄えるのに比べて、本発明の手動打撃具１０ではレバー３０Ｌを所定角度回転させるだけで、てこの原理を用いて打撃バネ１５に対して大きな打撃用のバネ蓄力を蓄えることができる。このため、溶接部の応力緩和処理で溶接部近傍を打撃するのに必要な大きな打撃力を得ることができる。また、打撃対象に対して多数回の打撃を容易に与えることができる。
【００３９】
すなわち、上記実施形態の手動打撃工具は、手動回転操作部３０を操作することで、手動でありながら、打撃対象に対してより大きな打撃力を与えることができる。
【００４０】
上記実施形態の手動打撃工具では、使用者がレバー３０Ｌを回転するだけで、押しピンを介して打撃バネに対して打撃用のバネ蓄力を簡単に蓄えることができる。
【００４１】
上記実施形態の本発明の手動打撃工具では、前述の通り、阻止手段が、本体カバー内に突出する段部１９Ａと止めピン１８と切替え棒２０と第２の戻しバネ２２で構成されているので、打撃時に打撃バネのバネ蓄力を確実に打撃対象に与えることができる。
【００４２】
上記実施形態の手動打撃工具では、レバーは、ロッドと、ロッドの端部に固定されたにぎり玉と、を有する。これにより、使用者はにぎり玉を持ってレバーを確実に回転して、しかも打撃部材側に押し付ける作業を行うことができる。
【００４３】
ところで、本発明は、上記実施形態に限定されず種々の変形例を採用できる。例えば、本体カバー１１は、使用者が片手でより持ち易いようにするために、円筒状部材以外の形状であっても良い。
【図面の簡単な説明】
【００４４】
【図１】本発明の手動打撃工具の好ましい実施の形態を示している側面図である。
【図２】図１に示す手動打撃工具の内部構造例を示す軸方向の断面図である。
【図３】本体カバーと先端カバーの形状を示す図である。
【図４】図２に示すポンチと切替え棒の形状を示す斜視図である。
【図５】スライドハンマーと、止めカラーと、止めピンを示す図である。
【図６】押しピン、リンクバー等を示す図である。
【図７】打撃バネには打撃用のバネ蓄力が蓄えられておらず、無負荷時の状態を示す図である。
【図８】打撃バネに打撃用のバネ蓄力が蓄えられた状態を示す図である。
【図９】ポンチの先端部が打撃対象に接触され、２つの止めピンが開放された状態を示す図である。
【図１０】ポンチにより打撃対象に対して打撃している状態を示す図である。
【符号の説明】
【００４５】
５              本体部
６              阻止手段
１０            手動打撃工具
１１            本体カバー
１２            後端カバー
１４            押しピン
１５            打撃バネ
１６            スライドハンマー
１７            ポンチ（打撃部材）
１８            止めピン
１９            止めカラー
２１            第１戻しバネ
２２            第２戻しバネ
３０            手動回転操作部
３０Ｌ          レバー
３１            にぎり玉
３２            ロッド
３３            プレート
３４            リンクバー
３５            ヒンジピン
【図１】
2010142907.tif 000003
【図２】
2010142907.tif 000004
【図３】
2010142907.tif 000005
【図４】
2010142907.tif 000006
【図５】
2010142907.tif 000007
【図６】
2010142907.tif 000008
【図７】
2010142907.tif 000009
【図８】
2010142907.tif 000010
【図９】
2010142907.tif 000011
【図１０】
2010142907.tif 000012